(57)【要約】【課題】電磁シールドのためのガスケットの劣化が抑制される光モジュールを提供する。【解決手段】光モジュール１は筐体２を備え、筐体２は筐体本体３と蓋体４とガスケット５とを備える。ガスケット５は導電性を有し筐体本体３とガスケット５との間に挟まれる。蓋体４は、蓋体４の突起部４ｃの凸部４ｄと筐体本体３の凹部３ｆとの係合と、凸部４ｄ及び凹部３ｆの反対側におけるネジ６ｎによるネジ止めと、ガスケット５の弾性とによって、筐体本体３に固定される。蓋体４は、ネジ止めのみによって筐体本体３に固定されるのではなく、ネジ６ｎによるネジ止めと共に、蓋体４の凸部４ｄと筐体本体３の凹部３ｆとの係合とガスケット５の弾性とを介して、筐体本体３に固定される。【選択図】図１
2014149498.tif 000002
【特許請求の範囲】
【請求項１】
光素子と電子基板とを収容する導電性の筐体を備え、
前記筐体は、筐体本体と蓋体とガスケットとを備え、
前記筐体本体は、底壁と側壁とを備え、
前記底壁は、基準方向に延び、
前記側壁は、前記底壁から前記底壁の上方に延び、
前記蓋体は、第１の端部と第２の端部と突起部とを備え、前記側壁の上端面の上に配置され、前記底壁に沿って延び、
前記第１の端部と前記第２の端部とは、前記基準方向に順に配置され、
前記突起部は、凸部を備え、前記側壁の外表面に沿って前記蓋体から前記底壁の側に向かって突出し、前記第２の端部に配置され、
前記凸部は、前記突起部の端部に配置され、前記側壁の側に向かって突出し、
前記側壁は、凹部を備え、
前記凹部は、前記側壁の外表面に設けられ、前記凸部と係合し、
前記蓋体は、前記第１の端部の側において、前記筐体本体にネジ止めされ、
前記ガスケットは、導電性と弾性とを備え、紐体であり、前記側壁の前記上端面に延在し、前記上端面と前記蓋体との間に配置され、
前記上端面は、前記ガスケットの弾性によって前記ガスケットに密着し、
前記蓋体の内表面の縁部は、前記ガスケットの弾性によって前記ガスケットに密着し、
前記蓋体は、前記凸部と前記凹部との係合と、前記ネジ止めと、前記ガスケットの弾性とによって、前記筐体本体に固定される、
光モジュール。
【請求項２】
前記ガスケットは、前記突起部よりも前記第１の端部の側に配置されている、
請求項１に記載の光モジュール。
【発明の詳細な説明】
【技術分野】
【０００１】
本発明は、光モジュールに関する。
【背景技術】
【０００２】
特許文献１は、光トランシーバに係る技術を開示する。光トランシーバは、光レセプタクルとハウジングとの間の電磁シールド性能を有する。光トランシーバは、ハウジングと光レセプタクルと回路基板とシールドシートとフロントカバーとガスケットとを備える。ハウジングは、光レセプタクルと回路基板とを搭載する。光レセプタクルは、後壁部を含む。後壁部に、スリーブのフランジが当接する。ハウジングは、光レセプタクルの搭載部を画成する壁を有する。シールドシートは、弾性及び導電性を有する。シールドシートは、光レセプタクルの後壁部とハウジングの壁との間に狭持される。フロントカバーは、ハウジングに固定される。フロントカバーは、押圧部を有する。押圧部は、光レセプタクルを、ハウジングの壁に向けて、押圧する。ガスケットは、二つのハウジングの間に挟まれる。二つのハウジングは、金属製である。
【先行技術文献】
【特許文献】
【０００３】
【特許文献１】特開２０１０−１０５５５７号公報
【特許文献２】特願２０１１−１６３４６７号公報
【発明の概要】
【発明が解決しようとする課題】
【０００４】
特許文献１に記載の技術において、導電性のガスケットは、電磁シールドとして機能する。ガスケットは、二つのハウジング間に挟まれる。二つのハウジングは、ネジ止めのみによって互いに接合されている。二つのハウジングは、金属製である。ガスケットは、ネジ止めのみによって金属性の二つのハウジングに挟まれるので、強固なネジ止めによる押圧と固いハウジングとの接触とによる劣化が懸念される。
【０００５】
そこで、本発明の目的は、上記の事項を鑑みてなされたものであり、電磁シールドのためのガスケットの劣化が抑制される光モジュールを提供することである。
【課題を解決するための手段】
【０００６】
本発明に係る光モジュールは、光素子と電子基板とを収容する導電性の筐体を備え、前記筐体は、筐体本体と蓋体とガスケットとを備え、前記筐体本体は、底壁と側壁とを備え、前記底壁は、基準方向に延び、前記側壁は、前記底壁から前記底壁の上方に延び、前記蓋体は、第１の端部と第２の端部と突起部とを備え、前記側壁の上端面の上に配置され、前記底壁に沿って延び、前記第１の端部と前記第２の端部とは、前記基準方向に順に配置され、前記突起部は、凸部を備え、前記側壁の外表面に沿って前記蓋体から前記底壁の側に向かって突出し、前記第２の端部に配置され、前記凸部は、前記突起部の端部に配置され、前記側壁の側に向かって突出し、前記側壁は、凹部を備え、前記凹部は、前記側壁の外表面に設けられ、前記凸部と係合し、前記蓋体は、前記第１の端部の側において、前記筐体本体にネジ止めされ、前記ガスケットは、導電性と弾性とを備え、紐体であり、前記側壁の前記上端面に延在し、前記上端面と前記蓋体との間に配置され、前記上端面は、前記ガスケットの弾性によって前記ガスケットに密着し、前記蓋体の内表面の縁部は、前記ガスケットの弾性によって前記ガスケットに密着し、前記蓋体は、前記凸部と前記凹部との係合と、前記ネジ止めと、前記ガスケットの弾性とによって、前記筐体本体に固定される。このように、蓋体は、ネジ止めのみによって筐体本体に固定されるのではなく、ネジ止めと共に、凸部と凹部との係合とガスケットの弾性とを介して、筐体本体に固定される。従って、ガスケットは、強固なネジ止めによる押圧を受けないので、蓋体と筐体本体との接触によるガスケットの劣化は、低減される。
【０００７】
本発明に係る光モジュールにおいて、前記ガスケットは、前記突起部よりも前記第１の端部の側に配置されている。従って、凸部と凹部とを係合するために蓋体を筐体本体に強固に押し付けても、ガスケットは、凸部と凹部とが係合する箇所（第２の端部）の反対側の第１の端部の側に配置されているので、ガスケットに生じるダメージは、低減される。
【発明の効果】
【０００８】
本発明によれば、電磁シールドのためのガスケットの劣化が抑制される光モジュールを提供できる。
【図面の簡単な説明】
【０００９】
【図１】実施形態に係る光モジュールの外観を示す図である。
【図２】実施形態に係る光モジュールの他の外観を示す図である。
【図３】実施形態に係る光モジュールの構成を説明するための図である。
【図４】実施形態に係る光モジュールの蓋体の構成を説明するための図である。
【図５】実施形態に係る光モジュールの筐体本体の構成を説明するための図である。
【図６】実施形態に係る光モジュールにおいて、蓋体を筐体本体に取り付ける様子を示す図である。
【図７】実施形態に係る光モジュールにおいて、蓋体を筐体本体に取り付ける他の様子を示す図である。
【発明を実施するための形態】
【００１０】
以下、図面を参照して、本発明に係る好適な実施形態について詳細に説明する。なお、図面の説明において、可能な場合には、同一要素には同一符号を付し、重複する説明を省略する。図１〜図５を参照して、実施形態に係る光モジュール１の構成を説明する。図１は、実施形態に係る光モジュール１の外観を示す図である。図２は、実施形態に係る光モジュール１の他の外観を示す図である。図３は、実施形態に係る光モジュール１の構成を説明するための図である。図４は、実施形態に係る光モジュール１の蓋体４の構成を説明するための図である。図５は、実施形態に係る光モジュール１の筐体本体３の構成を説明するための図である。
【００１１】
光モジュール１は、筐体２、レセプタクル６ａ、アーム６ｂ、バー６ｃ、スタッド６ｄ、ＴＯＳＡ６ｅ（光素子）、ＲＯＳＡ６ｆ（光素子）、回路基板６ｇ（電子基板）、シールド板６ｈ、保持板６ｉ、熱伝達シート６ｊ、熱伝達シート６ｋ、熱伝達シート６ｍ、ネジ６ｎを備える。筐体２は、筐体本体３、蓋体４、ガスケット５を備える。筐体本体３は、底壁３ａ１、側壁３ａ２、端部３ｂ１、端部３ｂ２、上端面３ｃ、ネジ穴３ｄ、外表面３ｅ、凹部３ｆ、開口部３ｆ１、領域３ｇを備える。蓋体４は、端部４ａ（第１の端部）、端部４ｂ（第２の端部）、突起部４ｃ、端部４ｃ１、凸部４ｄ、内表面４ｅ、縁部４ｅ１を備える。回路基板６ｇは、端子部６ｇ１を備える。
【００１２】
筐体２は、ＴＯＳＡ６ｅ、ＲＯＳＡ６ｆと、回路基板６ｇとを収容する。筐体２の材料は、導電性の材料であり、例えばアルミニウム、亜鉛等の金属である。筐体２は、基準方向Ａｘに延びる箱型である。
【００１３】
底壁３ａ１は、基準方向Ａｘに延びる。側壁３ａ２は、基準方向Ａｘに延びる。側壁３ａ２は、底壁３ａ１から底壁３ａ１の上方に延びる。側壁３ａ２は、凹部３ｆを備える。凹部３ｆは、筐体本体３の端部３ｂ１に設けられる。凹部３ｆは、側壁３ａ２の外表面３ｅに設けられる。筐体本体３の側壁３ａ２の外表面３ｅに、ネジ穴３ｄが設けられている。ネジ穴３ｄは、端部３ｂ２の側に設けられる。ネジ穴３ｄは、ネジ６ｎを受ける。レセプタクル６ａは、筐体本体３の端部３ｂ２の側の端面に接続される。回路基板６ｇの端子部６ｇ１は、筐体本体３の端部３ｂ１の側の端面から、外部に突出している。
【００１４】
レセプタクル６ａは、光コネクタを収容する。レセプタクル６ａに収容される光コネクタは、ＴＯＳＡ６ｅ及びＲＯＳＡ６ｆの何れか一方と、光学的に接続される。アーム６ｂは、バー６ｃの動作に応じて、基準方向Ａｘに沿って動く。アーム６ｂは、バー６ｃの動作に応じて、外部装置に対する係合と係合解除とを、行う。バー６ｃは、アーム６ｂに接続される。バー６ｃは、光モジュール１を外部装置に挿抜するための取手の機能を備える。アーム６ｂは、筐体本体３に接続される。レセプタクル６ａ、アーム６ｂ、バー６ｃは、スタッド６ｄを介して、互いに接続される。スタッド６ｄは、アーム６ｂの回転軸としての機能を備える。
【００１５】
ＴＯＳＡ６ｅは、光送信サブアセンブリ（ＴＯＳＡ：Transmitter  Optical  Sub-Assembly）である。ＲＯＳＡ６ｆは、光受信サブアセンブリ（ＲＯＳＡ：Receiver  Optical  Sub-Assembly）である。回路基板６ｇは、電子回路が形成されている。ＴＯＳＡ６ｅとＲＯＳＡ６ｆとは、回路基板６ｇの電子回路に接続されている。端子部６ｇ１は、回路基板６ｇの電子回路に接続されている。シールド板６ｈは、レセプタクル６ａの側からＴＯＳＡ６ｅとＲＯＳＡ６ｆと回路基板６ｇとに入射、及びこれらの素子から放射する電磁波を遮蔽するための部材である。
【００１６】
保持板６ｉは、ＴＯＳＡ６ｅとＲＯＳＡ６ｆとを、筐体２の内部において保持するための部材である。熱伝達シート６ｊは、ＴＯＳＡ６ｅとＲＯＳＡ６ｆとから発する熱を、筐体本体３に伝えるための部材である。熱伝達シート６ｋは、回路基板６ｇから発する熱を、筐体本体３に伝えるための部材である。熱伝達シート６ｍは、回路基板６ｇから発する熱を、蓋体４に伝えるための部材である。ネジ６ｎは、蓋体４を筐体本体３に取り付けるための部材である。ネジ６ｎは、具体的には、蓋体４の端部４ａと、筐体本体３の端部３ｂ２とを接合する。端部４ａと端部３ｂ２とは、レセプタクル６ａが設けられている側にある。
【００１７】
蓋体４は、端部４ａ、端部４ｂ、突起部４ｃを備える。蓋体４は、筐体本体３の側壁３ａ２の上端面３ｃの上に配置される。蓋体４は、筐体本体３の底壁３ａ１に沿って延びる。端部４ａと端部４ｂとは、基準方向Ａｘに、順に配置される。端部４ａから端部４ｂに向かう方向と、端部３ｂ２から端部３ｂ１に向かう方向とは、同じであり、基準方向Ａｘである。蓋体４の端部４ａは、筐体本体３の端部３ｂ２の側に配置される。蓋体４の端部４ｂは、筐体本体３の端部３ｂ１の側に配置される。
【００１８】
突起部４ｃは、端部４ｃ１、凸部４ｄを備える。突起部４ｃ、端部４ｃ１、凸部４ｄは、蓋体４の端部４ｂに設けられる。突起部４ｃは、筐体本体３の側壁３ａ２の外表面３ｅに沿って、蓋体４から筐体本体３の底壁３ａ１の側に向かって突出する。突起部４ｃは、端部４ｂに配置される。凸部４ｄは、突起部４ｃの端部４ｃ１に配置される。凸部４ｄは、筐体本体３の側壁３ａ２の側に向かって突出する。凹部３ｆは、凸部４ｄと係合する位置に配置され、凸部４ｄと係合する。蓋体４は、ネジ穴４ｆを備える。ネジ穴４ｆは、ネジ６ｎを受ける。ネジ穴４ｆは、貫通孔である。ネジ穴４ｆは、端部４ａの側に設けられる。ネジ穴４ｆとネジ穴３ｄとは、同一軸上に位置する。蓋体４は、端部４ａの側において、筐体本体３の端部３ｂ２に対し、ネジ６ｎによって、ネジ止めされる。
【００１９】
ガスケット５は、紐体である。ガスケット５は、導電性と弾性とを備える（ガスケット５は、導電性及び弾性を有する部材であってもよく、例えば、表面に金属メッキを施したゴムチューブや、あるいは導電性の材料を配合したゴム製であってもよい。ガスケット５の断面形状は、中実、中空どちらでもよい。）。ガスケット５は、筐体本体３の側壁３ａ２の上端面３ｃに延在する。ガスケット５は、筐体本体３の側壁３ａ２の上端面３ｃと、蓋体４の内表面４ｅの縁部４ｅ１との間に配置される。上端面３ｃは、ガスケット５の弾性によってガスケット５に密着する。蓋体４の内表面４ｅの縁部４ｅ１は、ガスケット５の弾性によってガスケット５に密着する。蓋体４は、凸部４ｄと凹部３ｆとの係合と、ネジ６ｎによるネジ止めと、ガスケット５の弾性とによって、筐体本体３に固定される。ガスケット５は、突起部４ｃよりも端部４ａの側に配置されている。
【００２０】
以上のように、蓋体４は、ネジ止めのみによって筐体本体３に固定されるのではなく、ネジ６ｎによるネジ止めと共に、凸部４ｄと凹部３ｆとの係合とガスケット５の弾性とを介して、筐体本体３に固定される。従って、ガスケット５は、強固なネジ止めによる押圧を受けないので、蓋体４と筐体本体３との接触によるガスケット５の劣化は、低減される。また、ガスケット５は、突起部４ｃよりも端部４ａの側に配置されている。従って、凸部４ｄと凹部３ｆとを係合するために蓋体４を筐体本体３に強固に押し付けても、ガスケット５は、凸部４ｄと凹部３ｆとが係合する箇所（端部４ｂ）の反対側の端部４ａの側に配置されているので、ガスケット５に生じるダメージは、低減される。
【００２１】
図６及び図７を参照して、筐体本体３と蓋体４とを接合する方法について、説明する。図６は、実施形態に係る光モジュール１において、蓋体４を筐体本体３に取り付ける様子を示す図である。図７は、実施形態に係る光モジュール１において、蓋体４を筐体本体３に取り付ける他の様子を示す図である。側壁３ａ２の外表面３ｅは、凹部３ｆに接続する領域３ｇを備える。領域３ｇは、底壁３ａ１と側壁３ａ２とに交差する。凹部３ｆは、領域３ｇまで延在し、開口部３ｆ１を備える。開口部３ｆ１は、領域３ｇに設けられる。
【００２２】
まず、蓋体４の縁部４ｅ１、及び、筐体本体３の上端面３ｃの何れかに、ガスケット５を配置する。図６に示すように、筐体本体３の端部３ｂ１を蓋体４の端部４ｂに近づける。二つの突起部４ｃの間に、回路基板６ｇを、方向Ｂｘに沿って、挿入する。凹部３ｆを凸部４ｄに近づけ、図７に示すように、凸部４ｄを、開口部３ｆ１を介して、凹部３ｆに係合させる。次に、凹部３ｆを凸部４ｄに係合させた状態で、筐体本体３の端部３ｂ２を蓋体４の端部４ａに、比較的に緩やかに（徐々に）、近づける。この時から、ガスケット５が、筐体本体３の上端面３ｃと蓋体４の縁部４ｅ１とによって押圧され、上端面３ｃと縁部４ｅ１とに密着する。筐体本体３の端部３ｂ２を、ネジ６ｎによるネジ止めが可能な位置まで、蓋体４の端部４ａに近づける。
【００２３】
次に、ネジ６ｎを、ネジ穴４ｆとネジ穴３ｄとに通し、筐体本体３と蓋体４とを、端部３ｂ２と端部４ａとの側において、ネジ６ｎによって、ネジ止めする。以上のようにして、ガスケット５を介して、筐体本体３と蓋体４とを接合する。ガスケット５は、凹部３ｆを凸部４ｄに係合させた後に、比較的に緩やかに、筐体本体３の上端面３ｃと蓋体４の縁部４ｅ１とによって押圧されるので、筐体本体３と蓋体４との接合時に、ガスケット５が受けるダメージを低減できる。
【００２４】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００２５】
１…光モジュール、２…筐体、３…筐体本体、３ａ１…底壁、３ａ２…側壁、３ｂ１，３ｂ２，４ａ，４ｂ，４ｃ１…端部、３ｃ…上端面、３ｄ，４ｆ…ネジ穴、３ｅ…外表面、３ｆ…凹部、３ｆ１…開口部、３ｇ…領域、４…蓋体、４ｃ…突起部、４ｄ…凸部、４ｅ…内表面、４ｅ１…縁部、５…ガスケット、６ａ…レセプタクル、６ｂ…アーム、６ｃ…バー、６ｄ…スタッド、６ｅ…ＴＯＳＡ、６ｆ…ＲＯＳＡ、６ｇ…回路基板、６ｇ１…端子部、６ｈ…シールド板、６ｉ…保持板、６ｊ，６ｋ，６ｍ…熱伝達シート、６ｎ…ネジ、Ａｘ…基準方向、Ｂｘ…方向。
【図１】
2014149498.tif 000003
【図２】
2014149498.tif 000004
【図３】
2014149498.tif 000005
【図４】
2014149498.tif 000006
【図５】
2014149498.tif 000007
【図６】
2014149498.tif 000008
【図７】
2014149498.tif 000009